(57)【要約】【課題】インストアコードを統一することなく複数の店舗間で用いられているコードの関連性を的確に把握し、複数の店舗間における販売状況等を円滑に集計可能とする。【解決手段】店舗サーバ２０Ａが、消費者が購入する商品に付与されているインストアＰＯＳコードを取得し、取得したインストアＰＯＳコードに対応付けされているマスタ登録ＰＯＳコードを特定し、特定したマスタ登録ＰＯＳコードを通信ネットワーク５０を介して商品情報管理サーバ１０に送信し、取得したインストアＰＯＳコードによって特定される商品情報の少なくとも一部を含む店舗側商品販売情報を蓄積する。一方、商品情報管理サーバ１０は、受信したマスタ登録ＰＯＳコードにもとづいて、あらかじめ登録されているカテゴリの中からその商品の商品情報を特定し、特定した商品情報の少なくとも一部を含む商品販売情報を蓄積する。【選択図】図６
2007310581.tif 000002
【特許請求の範囲】
【請求項１】
ＰＯＳレジスタが接続された店舗サーバと、商品情報を管理する商品情報管理サーバとを含む商品情報管理システムであって、
前記店舗サーバは、
消費者が購入する商品に付与されているインストアＰＯＳコードを取得するインストアＰＯＳコード取得手段と、
該インストアＰＯＳコード取得手段が取得したインストアＰＯＳコードに対応付けされているマスタ登録ＰＯＳコードを特定するマスタ登録ＰＯＳコード特定手段と、
該マスタ登録ＰＯＳコード特定手段が特定したマスタ登録ＰＯＳコードを通信ネットワークを介して前記商品情報管理サーバに送信するマスタ登録ＰＯＳコード送信手段と、
前記インストアＰＯＳコード取得手段が取得したインストアＰＯＳコードによって特定される商品情報の少なくとも一部を含む店舗側商品販売情報を蓄積する店舗側商品販売情報蓄積手段とを含み、
前記商品情報管理サーバは、
マスタ登録ＰＯＳコードを受信するマスタ登録ＰＯＳコード受信手段と、
受信したマスタ登録ＰＯＳコードにもとづいて、あらかじめ登録されているカテゴリの中から前記商品の商品情報を特定する商品情報特定手段と、
該商品情報特定手段が特定した商品情報の少なくとも一部を含む商品販売情報を蓄積する商品販売情報蓄積手段とを含む
ことを特徴とする商品情報管理システム。
【請求項２】
インストアＰＯＳコードは、店舗内で用いられるＰＯＳコードであり、マスタ登録ＰＯＳコードは、商品情報管理サーバ側に登録されているＰＯＳコードである
請求項１記載の商品情報管理システム。
【請求項３】
店舗側商品販売情報蓄積手段は、インストアＰＯＳコードによって特定される商品の値段を含む店舗側商品販売情報を蓄積する
請求項１または請求項２記載の商品情報管理システム。
【請求項４】
商品情報管理サーバは、商品の商品情報を検索するための個品コードに、前記商品を販売した複数の店舗で前記商品に使用されているそれぞれのインストアＰＯＳコードに対応付けされているマスタ登録ＰＯＳコードを対応付けしたマスタ登録ＰＯＳコード対応情報を保存するマスタ登録ＰＯＳコード対応情報保存手段を有する
請求項１から請求項３のうちいずれかに記載の商品情報管理システム。
【請求項５】
販売した商品が分類されるカテゴリは、前記商品の生産者、生産地、製造者、または販売元と、前記商品の商品名とにより示される
請求項１から請求項４のうちいずれかに記載の商品情報管理システム。
【請求項６】
ＰＯＳレジスタが接続された店舗サーバは、
消費者が購入する商品に付与されているインストアＰＯＳコードを取得するインストアＰＯＳコード取得処理と、
該インストアＰＯＳコード取得処理にて取得したインストアＰＯＳコードに対応付けされているマスタ登録ＰＯＳコードを特定するマスタ登録ＰＯＳコード特定処理と、
該マスタ登録ＰＯＳコード特定処理にて特定したマスタ登録ＰＯＳコードを通信ネットワークを介して商品情報を管理する商品情報管理サーバに送信するマスタ登録ＰＯＳコード送信処理と、
前記インストアＰＯＳコード取得処理にて取得したインストアＰＯＳコードによって特定される商品情報の少なくとも一部を含む店舗側商品販売情報を蓄積する店舗側商品販売情報蓄積処理とを実行し、
前記商品情報管理サーバは、
マスタ登録ＰＯＳコードを受信するマスタ登録ＰＯＳコード受信処理と、
受信したマスタ登録ＰＯＳコードにもとづいて、あらかじめ登録されているカテゴリの中から前記商品の商品情報を特定する商品情報特定処理と、
該商品情報特定処理にて特定した商品情報の少なくとも一部を含む商品販売情報を蓄積する商品販売情報蓄積処理とを実行する
ことを特徴とする商品情報管理方法。
【請求項７】
インストアＰＯＳコードは、店舗内で用いられるＰＯＳコードであり、マスタ登録ＰＯＳコードは、商品情報管理サーバ側に登録されているＰＯＳコードである
請求項６記載の商品情報管理方法。
【請求項８】
店舗側商品販売情報蓄積処理では、インストアＰＯＳコードによって特定される商品の値段を含む店舗側商品販売情報を蓄積する
請求項６または請求項７記載の商品情報管理方法。
【請求項９】
商品情報管理サーバは、商品の商品情報を検索するための個品コードに、前記商品を販売した複数の店舗で前記商品に使用されているそれぞれのインストアＰＯＳコードに対応付けされているマスタ登録ＰＯＳコードを対応付けしたマスタ登録ＰＯＳコード対応情報を用いて商品情報特定処理を実行する
請求項６から請求項８のうちいずれかに記載の商品情報管理方法。
【請求項１０】
販売した商品が分類されるカテゴリは、前記商品の生産者、生産地、製造者、または販売元と、前記商品の商品名とにより示される
請求項６から請求項９のうちいずれかに記載の商品情報管理方法。
【発明の詳細な説明】
【技術分野】
【０００１】
本発明は、ＰＯＳレジスタが接続された店舗サーバと、商品情報を管理する商品情報管理サーバとを含む商品情報管理システム、及び商品情報管理方法に関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【０００３】
【特許文献１】特開２００５−１６５６２９号公報
【特許文献１】特開２００５−２２８０２１号公報
【発明の開示】
【発明が解決しようとする課題】
【０００４】
しかしながら、上述した従来のＰＯＳシステムでは、ＰＯＳコードによって得られる情報は各店舗独自のインストアコードとされている。チェーンストアでは、一般にＪＡＮ（ＥＡＮ）コードと呼ばれる国際標準コードの形式が使用されているが、登録されている対応商品がバラバラのインストアコードが使用されているので、チェーンストア間で販売状況などを円滑にまとめることはできないという問題があった。
【０００５】
なお、強制的にインストアコードを統一したＰＯＳシステムを構築することが考えられるが、そのようなＰＯＳシステムを構築するには膨大なコストと時間が必要となり、経済的な無駄が多く発生してしまう。
【０００６】
本発明は、上述した問題を解消し、インストアコードを統一することなく複数の店舗間で用いられているコードの関連性を的確に把握することができ、複数の店舗間における販売状況等を円滑に集計することができるようにすることを目的とする。
【課題を解決するための手段】
【０００７】
本発明の商品情報管理システムは、ＰＯＳレジスタが接続された店舗サーバと、商品情報を管理する商品情報管理サーバとを含む商品情報管理システムであって、前記店舗サーバは、消費者が購入する商品に付与されているインストアＰＯＳコードを取得するインストアＰＯＳコード取得手段と、該インストアＰＯＳコード取得手段が取得したインストアＰＯＳコードに対応付けされているマスタ登録ＰＯＳコードを特定するマスタ登録ＰＯＳコード特定手段と、該マスタ登録ＰＯＳコード特定手段が特定したマスタ登録ＰＯＳコードを通信ネットワークを介して前記商品情報管理サーバに送信するマスタ登録ＰＯＳコード送信手段と、前記インストアＰＯＳコード取得手段が取得したインストアＰＯＳコードによって特定される商品情報の少なくとも一部を含む店舗側商品販売情報を蓄積する店舗側商品販売情報蓄積手段とを含み、前記商品情報管理サーバは、マスタ登録ＰＯＳコードを受信するマスタ登録ＰＯＳコード受信手段と、受信したマスタ登録ＰＯＳコードにもとづいて、あらかじめ登録されているカテゴリの中から前記商品の商品情報を特定する商品情報特定手段と、該商品情報特定手段が特定した商品情報の少なくとも一部を含む商品販売情報を蓄積する商品販売情報蓄積手段とを含むことを特徴とする。
【０００８】
上記のように構成したことで、インストアコードを統一することなく複数の店舗間で用いられているコードの関連性を的確に把握することができ、複数の店舗間における販売状況等を円滑に集計することができる。
【０００９】
インストアＰＯＳコードは、例えば店舗内で用いられるＰＯＳコードであり、マスタ登録ＰＯＳコードは、例えば商品情報管理サーバ側に登録されているＰＯＳコードである。なお、マスタ登録ＰＯＳコードは、ＪＡＮ形式や、店舗独自の形式をもったものも含む。
【００１０】
店舗側商品販売情報蓄積手段が、インストアＰＯＳコードによって特定される商品の値段を含む店舗側商品販売情報を蓄積するように構成されていてもよい。
【００１１】
商品情報管理サーバは、商品の商品情報を検索するための個品コードに、前記商品を販売した複数の店舗で前記商品に使用されているそれぞれのインストアＰＯＳコードに対応付けされているマスタ登録ＰＯＳコードを対応付けしたマスタ登録ＰＯＳコード対応情報を保存するマスタ登録ＰＯＳコード対応情報保存手段を有する構成とされていてもよい。
【００１２】
販売した商品が分類されるカテゴリは、例えば、前記商品の生産者、生産地、製造者、または販売元と、前記商品の商品名とにより示される。
【００１３】
また、本発明の商品情報管理方法は、ＰＯＳレジスタが接続された店舗サーバは、消費者が購入する商品に付与されているインストアＰＯＳコードを取得するインストアＰＯＳコード取得処理と、該インストアＰＯＳコード取得処理にて取得したインストアＰＯＳコードに対応付けされているマスタ登録ＰＯＳコードを特定するマスタ登録ＰＯＳコード特定処理と、該マスタ登録ＰＯＳコード特定処理にて特定したマスタ登録ＰＯＳコードを通信ネットワークを介して商品情報を管理する商品情報管理サーバに送信するマスタ登録ＰＯＳコード送信処理と、前記インストアＰＯＳコード取得処理にて取得したインストアＰＯＳコードによって特定される商品情報の少なくとも一部を含む店舗側商品販売情報を蓄積する店舗側商品販売情報蓄積処理とを実行し、前記商品情報管理サーバは、マスタ登録ＰＯＳコードを受信するマスタ登録ＰＯＳコード受信処理と、受信したマスタ登録ＰＯＳコードにもとづいて、あらかじめ登録されているカテゴリの中から前記商品の商品情報を特定する商品情報特定処理と、該商品情報特定処理にて特定した商品情報の少なくとも一部を含む商品販売情報を蓄積する商品販売情報蓄積処理とを実行することを特徴とする。
【発明の効果】
【００１４】
本発明によれば、インストアコードを統一することなく複数の店舗間で用いられているコードの関連性を的確に把握することができ、複数の店舗間における販売状況等を円滑に集計することができるようになる。
【発明を実施するための最良の形態】
【００１５】
以下、本発明の一実施の形態について図面を参照して説明する。
図１は、本発明の一実施の形態に係る商品情報管理システム１００の構成の例を示すブロック図である。図１に示すように、商品情報管理システム１００は、商品情報管理サーバ１０と、店舗サーバ２０Ａ，２０Ｂと、ＰＯＳレジスタ４１Ａ〜４ＮＡ，４１Ｂ〜４ＮＢ（Ｎ：任意の正の整数）とを含む。
【００１６】
商品情報管理サーバ１０、店舗サーバ２０Ａおよび店舗サーバ２０Ｂは、それぞれ、例えばインターネットなどの通信ネットワーク５０に接続されている。店舗サーバ２０Ａ、およびＰＯＳレジスタ４１Ａ〜４ＮＡは、それぞれ、例えば店舗Ａ内に配されている例えばＬＡＮなどの通信ネットワーク６０Ａに接続されている。店舗サーバ２０Ｂ、およびＰＯＳレジスタ４１Ｂ〜４ＮＢは、それぞれ、例えば店舗Ｂ内に配されている例えばＬＡＮなどの通信ネットワーク６０Ｂに接続されている。
【００１７】
なお、図１では、店舗Ａ内に設置された店舗サーバ２０ＡおよびＰＯＳレジスタ４１Ａ〜４ＮＡと、店舗Ｂ内に設置された店舗サーバ２０ＢおよびＰＯＳレジスタ４１ｂ〜４ＮＢとが示されているが、他の店舗に設置された店舗サーバや、店舗サーバの処理前にＰＯＳデータイントラ処理を行うコンピュータ、およびＰＯＳレジスタが商品情報管理システム１００に含まれていてもよい。
【００１８】
商品情報管理サーバ１０、店舗サーバ２０Ａ、および店舗サーバ２０Ｂは、それぞれ、ＷＷＷサーバなどの情報処理装置によって構成される。
【００１９】
商品情報管理サーバ１０は、例えば商品情報管理システム１００のシステム管理者によって管理されるサーバであり、商品の生産履歴や流通履歴を含む商品履歴情報などの各種の情報が格納される管理サーバＤＢ１１を備えている。なお、管理サーバＤＢ１１は、商品情報管理サーバ１０の内部にあっても外部にあってもよい。
【００２０】
店舗サーバ２０Ａは、例えば店舗Ａを管理する店舗管理者によって管理され、通信ネットワーク６０Ａを介して各ＰＯＳレジスタ４１Ａ〜４ＮＡと情報のやりとりを行う。また、店舗サーバ２０Ｂは、例えば店舗Ｂを管理する店舗管理者によって管理され、通信ネットワーク６０Ｂを介して各ＰＯＳレジスタ４１Ｂ〜４ＮＢと情報のやりとりを行う。なお、店舗サーバ２０Ａと店舗サーバ２０Ｂとは、同一の構成であるため、以下の説明においては主として店舗サーバ２０Ａについて説明する。
【００２１】
ＰＯＳレジスタ４１Ａ〜４ＮＡは、それぞれ、店舗Ａ内に設けられている購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。ＰＯＳレジスタ４１Ｂ〜４ＮＢは、それぞれ、店舗Ｂ内に設けられている購入金額支払所に設置されているレジスタであって、ＰＯＳレジスタ４１Ａ〜４ＮＡと同様の機能を有する。なお、各ＰＯＳレジスタ４１Ａ〜４ＮＡ，４１Ｂ〜４ＮＢは、同一の構成であるため、以下の説明においては主としてＰＯＳレジスタ４１Ａについて説明する。
【００２２】
図２は、ＰＯＳデータの例を示す説明図である。図２に示すように、ＰＯＳデータは、マスタ登録ＰＯＳコードと、インストアＰＯＳコードと、該当する商品のＰＯＳシステムにおけるカテゴリを示すＰＯＳカテゴリと、商品名と、商品の値段とを含む。「マスタ登録ＰＯＳコード」は、商品情報管理サーバ１０側にマスタ登録されているＰＯＳコードであり、該当する店舗における所定の商品に対応付けて初期設定されたＰＯＳコードを意味する。この「マスタ登録ＰＯＳコード」は、ＪＡＮ形式などの特定の標準形式であってもよいし、店舗独自の形式をもったものであってもよい。「インストアＰＯＳコード」は、該当する店舗内のＰＯＳシステムにおいて所定の商品に対応付けて現在使用されているＰＯＳコードであり、その商品に対して初期設定されたマスタ登録ＰＯＳコードに対応付けされ、各店舗にて適宜変更可能なＰＯＳコードとされる。なお、ある商品についてマスタ登録ＰＯＳコードの設定以降にコードの変更がなされていない場合には、その商品については「マスタ登録ＰＯＳコード」と「インストアＰＯＳコード」とが同じコード内容となる。
【００２３】
図２に示すように、ＰＯＳカテゴリには、野菜類、肉類、芋類などの大分類が設定される。また、商品名としては、大根、豚肉、じゃが芋などの商品の名称及び／又はサプライヤー名（メーカー名）が設定される。そして、値段には、個数や重さ毎の販売単位の値段が設定される。
【００２４】
ＰＯＳデータは、各店舗サーバ２０Ａ，２０Ｂが備える店舗サーバＤＢ２１Ａ，２１Ｂにそれぞれ格納されている。また、ＰＯＳデータは、各店舗に採用されているＰＯＳシステムによって、同じ商品であっても異なるＰＯＳコードや異なる商品名が設定される場合がある。
【００２５】
図３は、販売された商品に関わる情報を示す店舗側商品販売情報の例を示す説明図である。店舗側商品販売情報は、各店舗にて蓄積される。店舗側商品販売情報は、売上や販売した商品の内容など、各店舗において商品の販売状況を把握するために用いられる情報である。図３に示すように、店舗側商品販売情報は、例えば、商品履歴情報の検索に用いられる個品コード（トレーサビリティコード）と、店舗側商品販売情報における商品のカテゴリを示す販売管理用カテゴリと、販売時に使用されたＰＯＳレジスタを示すＰＯＳ番号と、商品を販売した時刻を示す販売時刻とを含む。また、図３には表れていないが、該当する商品の値段、商品を販売した店舗を示す店舗コードなどの情報も商品販売情報に含まれる。
【００２６】
個品コードは、該当する商品の生産・流通履歴情報を特定可能なコードであって、トレーサビリティシステムにおける検索キーとして商品や商品の包装に印字などされるコードである。商品の履歴情報には、例えば、商品の生産者、製造者、販売元、生産地、生産日、製造日、商品名、店舗搬入日などの商品の履歴に関する各種の情報が含まれている。なお、トレーサビリティコードの桁数はいくつであってもよく、商品の種類によって桁数が異なっていてもよい。
【００２７】
販売管理用カテゴリは、商品の生産・流通履歴情報によって特定可能なカテゴリであり、本例では、商品の生産者、製造者、販売元、または生産地と、商品名とによって特定される。例えば、野菜、果物、肉などであれば、生産地と商品名によって販売管理用カテゴリが定められ、加工品であれば製造者や販売元と商品名によって販売管理用カテゴリが定められる。
【００２８】
販売時刻は、具体的には、個品コードあるいはＰＯＳコードが読み込まれた時刻であっても、商品販売情報に商品の販売履歴が登録された時刻であってもよい。本例では、販売時刻は、図３に示すように、秒単位まで保存される。なお、販売時刻は、「年、日、分、秒」により構成されていても、「日、分、秒」により構成されていても、「分、秒」により構成されていても、「秒」のみによって構成されていてもよい。
【００２９】
図４は、販売管理用カテゴリ一覧データの例を示す説明図である。販売管理用カテゴリ一覧データは、使用可能な販売管理用カテゴリの一覧を示すデータであり、管理サーバＤＢ１１に格納されている。図４に示すように、販売管理用カテゴリ一覧データは、販売管理用カテゴリコードに対応付けされた販売管理用カテゴリ名の一覧を示すデータである。
【００３０】
図５は、マスタ登録ＰＯＳコード対応情報の例を示す説明図である。マスタ登録ＰＯＳコード対応情報は、本システム１００に含まれる各店舗サーバのＰＯＳデータに設定されているそれぞれのマスタ登録ＰＯＳコードの対応関係を示す情報であり、管理サーバＤＢ１１に格納されている。
【００３１】
マスタ登録ＰＯＳコード対応情報は、個品コードと、その個品コードが付与されている商品が分類される販売管理用カテゴリを示す販売管理用カテゴリコードと、その商品に店舗ＡのＰＯＳシステムにおいて付与されているマスタ登録ＰＯＳコード（店舗Ａマスタ登録ＰＯＳコード）と、その商品に店舗ＢのＰＯＳシステムにおいて付与されているマスタ登録ＰＯＳコード（店舗Ｂマスタ登録ＰＯＳコード）と、その商品に店舗ＣのＰＯＳシステムにおいて付与されているＰＯＳコード（店舗Ｃマスタ登録ＰＯＳコード）とを含む。
【００３２】
次に、本例の商品情報管理システム１００の動作について説明する。
図６は、本例の商品情報管理システム１００における商品情報管理処理の例を示すフローチャートである。ここでは、消費者Ｘが店舗Ａにて商品Ｙを購入したときの処理について説明する。
【００３３】
商品情報管理処理において、先ず、ＰＯＳレジスタ４１Ａは、レジ係の操作に応じて、消費者Ｘが店舗Ａ内で選択した購入を希望する商品Ｙに付されているインストアＰＯＳコードを読み取る。店舗サーバ２０Ａは、ＰＯＳレジスタ４１が読み取ったインストアＰＯＳコードを取得する（ステップＳ１０１）。
【００３４】
インストアＰＯＳコードは、各商品に付されている例えばバーコードなどのコードである。ＰＯＳレジスタ４１Ａは、例えばバーコードリーダ等のコード読取装置によって、インストアＰＯＳコードを読み取り、店舗サーバ２０Ａに送信する処理を実行する。
【００３５】
次いで、ＰＯＳレジスタ４１Ａは、レジ係の操作に応じて、商品Ｙに付されている個品コードを読み取る。店舗サーバ２０Ａは、ＰＯＳレジスタ４１が読み取った個品コードを取得する（ステップＳ１０２）。ＰＯＳレジスタ４１Ａは、例えばバーコードリーダ等のコード読取装置によって、個品コードを読み取り、店舗サーバ２０Ａに送信する処理を実行する。なお、インストアＰＯＳコードを読み取るコード読取装置と、個品コードを読み取るコード読取装置とは、同じ装置であってもよく、異なる別個の装置であってもよい。
【００３６】
次に、店舗サーバ２０Ａは、ＰＯＳデータ（図２参照）を参照して、取得したインストアＰＯＳコードに対応付けされているマスタ登録ＰＯＳコードを特定する（ステップＳ１０３）。
【００３７】
そして、店舗サーバ２０Ａは、特定したマスタ登録ＰＯＳコード及び取得した個品コードを商品情報管理サーバ１０に送信する（ステップＳ１０４）。
【００３８】
商品情報管理サーバ１０は、マスタ登録ＰＯＳコード及び個品コードを受信すると、管理サーバＤＢ１１に格納されている商品履歴情報の中から、受信したマスタ登録ＰＯＳコードあるいは個品コードに対応付けされている商品履歴情報を検索する（ステップＳ１０５）。
【００３９】
次いで、商品情報管理サーバ１０は、マスタ登録ＰＯＳコードと、個品コードと、検索した商品履歴情報の一部または全部と、販売店であるここでは店舗Ａを示す店舗コードとを対応付けした商品販売情報を生成して蓄積する（ステップＳ１０６）。
【００４０】
次に、商品情報管理サーバ１０は、マスタ登録ＰＯＳコード対応情報（図５参照）を参照し、店舗サーバ２０Ａから取得した個品コードあるいはマスタ登録ＰＯＳコードに販売管理用カテゴリコードが対応付けされていれば（すなわち、既に販売管理用カテゴリコードが設定されていれば）、その販売管理用カテゴリコードが示す販売管理用カテゴリに分類することに決定する（ステップＳ１０７）。一方、商品情報管理サーバ１０は、店舗サーバ２０Ａから取得した個品コードあるいはマスタ登録ＰＯＳコードに販売管理用カテゴリコードが対応付けされていなければ（すなわち、販売管理用カテゴリコードが未だ設定されていなければ）、ステップＳ１０５にて検索した商品履歴情報にもとづいて販売管理用カテゴリを新たに決定する（ステップＳ１０７）。
【００４１】
販売管理用カテゴリを新たに決定したときは、商品情報管理サーバ１０は、決定した販売管理用カテゴリに対応付ける販売管理用カテゴリコードを決定し、決定した販売管理用カテゴリ及び販売管理用カテゴリコードを販売管理用カテゴリ一覧データに登録するとともに、決定した販売管理用カテゴリコードをマスタ登録ＰＯＳコード対応情報における店舗サーバ２０Ａからの個品コードの対応箇所に登録する。
【００４２】
販売管理用カテゴリを新たに決定するときは、商品情報管理サーバ１０は、あらかじめ設定されている所定のルールに従って決定する。例えば、商品履歴情報のうちの生産者または生産地と、商品名とにより販売管理用カテゴリを新たに定めることとし、具体的には「○○牧場の牛乳」や、「北海道産じゃが芋」などのように決定する。
【００４３】
販売管理用カテゴリを決定すると、商品情報管理サーバ１０は、決定した販売管理用カテゴリと、その販売管理用カテゴリを示す販売管理用カテゴリコードとを、店舗サーバ２０Ａに送信する（ステップＳ１０８）。
【００４４】
販売管理用カテゴリ及び販売管理用カテゴリコードを受信すると、店舗サーバ２０Ａは、受信した販売管理用カテゴリに、商品Ｙについての個品コード、インストアＰＯＳコードによって特定される商品ＹのＰＯＳデータ、商品Ｙの販売時刻などを対応付けした店舗側商品販売情報を登録し、店舗サーバ２０Ａに格納されている店舗側商品販売情報を更新する（ステップＳ１０９）。また、店舗サーバ２０Ａは、自己が備える販売管理用カテゴリと販売管理用カテゴリコードとの対応表（例えば図４に示すデータと同様のデータ）に未だ登録されていなければ、受信した販売管理用カテゴリと販売管理用カテゴリコードのセットをその対応表に登録する。
【００４５】
上記のようにして、店舗Ａにて販売された商品Ｙの販売管理用カテゴリが決定され、商品Ｙの商品販売情報が登録される。なお、消費者Ｘが店舗Ａにて複数の商品を購入した場合には、上記の処理が繰り返し実行され、各商品についての商品販売情報が順次登録されることになる。
【００４６】
なお、上記の例では、個品コードを利用するようにしていたが、個品コードを用いることなくマスタ登録ＰＯＳコードのみによって商品履歴情報の検索や販売管理用カテゴリの決定などを行うようにしてもよい。
【００４７】
また、上記の例では、販売管理用カテゴリ及び販売管理用カテゴリコードの決定を商品情報管理サーバ１０が行うようにしていたが、店舗サーバ２０Ａ側で決定するようにしてもよい。この場合、商品情報管理サーバ１０が、ステップＳ１０５にて検索した商品履歴情報のうち、販売管理用カテゴリの決定に用いられる所定のカテゴリ決定用情報を店舗サーバ２０Ａに送信し、店舗サーバ２０Ａが、受信したカテゴリ決定用情報にもとづいて、販売管理用カテゴリを決定するようにすればよい。
【００４８】
以上に説明したように、上述した一実施の形態では、店舗サーバ２０Ａが、消費者が購入する商品に付与されているインストアＰＯＳコードを取得し、取得したインストアＰＯＳコードに対応付けされているマスタ登録ＰＯＳコードを特定し、特定したマスタ登録ＰＯＳコードを通信ネットワーク５０を介して商品情報管理サーバ１０に送信し、取得したインストアＰＯＳコードによって特定される商品情報の少なくとも一部を含む店舗側商品販売情報を蓄積する。一方、商品情報管理サーバ１０は、受信したマスタ登録ＰＯＳコードにもとづいて、あらかじめ登録されているカテゴリの中からその商品の商品情報を特定し、特定した商品情報の少なくとも一部を含む商品販売情報を蓄積する。このように構成したので、インストアコードを統一することなく複数の店舗間で用いられているコードの関連性を的確に把握することができ、複数の店舗間や店舗チェーン間における販売状況等を円滑に集計することができる。
【００４９】
すなわち、インストアＰＯＳコードに対応付けされており、かつ商品情報管理サーバ１０で各店舗について管理されているマスタ登録ＰＯＳコードを用いて商品情報の検索などを行う構成としているので、たとえインストアＰＯＳコードが店舗において変更された場合であっても、商品情報管理サーバ１０側では何らの影響を受けることなくマスタ登録ＰＯＳコードを用いて商品情報の検索などを円滑に行うことが可能となる。
【００５０】
また、上述したように、消費者が購入する商品に付与されているＰＯＳコードと、その商品に付与されている個品コードとを取得し、取得した個品コードにもとづいて、あらかじめ登録されているカテゴリの中から商品のカテゴリを決定し、決定したカテゴリに販売した商品を分類して、取得したＰＯＳコードによって特定されるＰＯＳデータなどを含む商品販売情報を蓄積する構成としたので、ＰＯＳカテゴリと比較してより詳細な販売管理用カテゴリに商品を分類することができ、販売状況を示す詳細な情報を収集することができるため、店舗において販売状況を的確に把握することができるようになる。また、個品コードからカテゴリを決定する機能をＰＯＳシステムに付加した簡単な構成としているので、ＰＯＳシステムにおけるＰＯＳカテゴリを改変する必要がなく、詳細な販売管理用カテゴリに商品を分類可能なシステムを低コストで構築することができる。
【００５１】
また、上述した実施の形態では、商品を販売した秒単位の販売時刻を含む商品販売情報を蓄積する構成としているので、販売状況を的確に把握することができるようになる。すなわち、ＰＯＳシステムでは、一般に分単位でしか販売時刻を特定することができないが、本システム１００によれば、ＰＯＳシステム自体に改変を加えることなく秒単位でも特定することができるようになるため、低コストで販売状況を的確に把握することができるようになるのである。
【００５２】
また、上述した実施の形態では、商品情報管理サーバ１０が、各店舗側から取得したＰＯＳコードと個品コードとを対応付けしてＰＯＳコード対応情報に登録する構成とし、商品に付与されている個品コードに、その商品を販売した各店舗でその商品に使用されているそれぞれのＰＯＳコードを対応付けして登録する構成としたので、同じ商品に各店舗にて割り当てられているＰＯＳコードの対応関係を把握することができるようになる。よって、例えば異なるＰＯＳシステムを採用している複数の店舗が合併するときなどに、容易にＰＯＳコードの統一化（例えば一方の店舗が他方の店舗に合わせる）を図ることができるようになる。
【産業上の利用可能性】
【００５３】
本発明によれば、インストアコードを統一することなく複数の店舗間で用いられているコードの関連性を的確に把握し、複数の店舗間における販売状況等を円滑に集計するのに有用である。
【図面の簡単な説明】
【００５４】
【図１】本発明の一実施の形態に係る商品情報管理システムの構成の例を示すブロック図である。
【図２】ＰＯＳデータの例を示す説明図である。
【図３】店舗側商品販売情報の例を示す説明図である。
【図４】販売管理用カテゴリ一覧データの例を示す説明図である。
【図５】マスタ登録ＰＯＳコード対応情報の例を示す説明図である。
【図６】商品情報管理処理の例を示すフローチャートである。
【符号の説明】
【００５５】
１０        商品情報管理サーバ
１１        管理サーバＤＢ
２０Ａ，２０Ｂ  店舗サーバ
４１Ａ〜４ＮＡ，４１Ｂ〜４ＮＢ  ＰＯＳレジスタ
５０，６０Ａ，６０Ｂ  通信ネットワーク
１００      商品情報管理システム
【図１】
2007310581.tif 000003
【図２】
2007310581.tif 000004
【図３】
2007310581.tif 000005
【図４】
2007310581.tif 000006
【図５】
2007310581.tif 000007
【図６】
2007310581.tif 000008